(57)【要約】【課題】  近年、電子機器の小型化と電気基板上の素子からの発熱量と不要輻射（電磁波の放射）が増大の傾向がある。  電子機器の小型化、不要輻射に対応した冷却構成を提案する。【解決手段】  製品の外装を構成する筐体と、駆動、制御用の電気基板と、電気基板を冷却する冷却ファンと、電気基板の周囲を覆って冷却ファンへ導風する冷却ダクトを構成し、かつ開口部を有し、かつ筐体の開口部から視認できる場所に配置される板金部材と、を有する電子機器において、筐体の色相を構成するマンセル表色系の基本色、赤、黄、緑、青、紫の内、同じ基本色からなる色相の遮蔽部材が板金部材に開けられた開口部を覆い、かつ遮蔽部材が筐体の開口から視認される板金部材と電気基板の面積の少なくとも半分以上を覆うように配置する。【選択図】  図３
2009267105.tif 000002
【特許請求の範囲】
【請求項１】
製品の外装を構成する筐体と、
駆動、制御用の電気基板と、
該電気基板を冷却する冷却ファンと、
該電気基板の周囲を覆って該冷却ファンへ導風する冷却ダクトを構成し、かつ開口部を有し、かつ該筐体の開口部から視認できる場所に配置される板金部材と、
を有する電子機器において、
該筐体の色相を構成するマンセル表色系の基本色、赤、黄、緑、青、紫の内、同じ基本色からなる色相の遮蔽部材が該板金部材に開けられた開口部を覆い、
かつ該遮蔽部材が該筐体の開口から視認される該板金部材と該電気基板の面積の少なくとも半分以上を覆うように配置されること特徴とする電子機器。
【請求項２】
製品の外装を構成する筐体と、
駆動、制御用の電気基板と、
該電気基板を冷却する冷却ファンと、
該電気基板の周囲を覆って該冷却ファンへ導風する冷却ダクトを構成し、かつ開口部を有し、かつ該筐体の開口部から視認できる場所に配置される板金部材と、
を有する電子機器において、
マンセル表色系における明度が5以下からなる遮蔽部材で該板金部材に開けられた開口部を覆い、かつ該筐体の開口から視認される該板金部材と該電気基板の面積の少なくとも半分以上を覆うように配置されること特徴とする電子機器。
【請求項３】
製品の外装を構成する筐体と、
駆動、制御用の電気基板と、
該電気基板を冷却する冷却ファンと、
該電気基板の周囲を覆って該冷却ファンへ導風する冷却ダクトを構成し、かつ開口部を有し、かつ該筐体の開口部から視認できる場所に配置される板金部材と、
を有する電子機器において、
マンセル表色系における彩度が4以下からなる遮蔽部材で該板金部材に開けられた開口部を覆い、かつ該筐体の開口から視認される該板金部材と該電気基板の面積の少なくとも半分以上を覆うように配置されること特徴とする電子機器。
【請求項４】
請求項1〜請求項３のいずれかに記載の投射型表示装置において、
前記遮蔽部材は導通性を有する部材からなる事を特徴とする投射型表示装置。
【請求項５】
請求項１〜請求項３のいずれかに記載の投射型表示装置において、
前記遮蔽部材は電磁波吸収特性を有する部材からなる事を特徴とする投射型表示装置。
【発明の詳細な説明】
【技術分野】
【０００１】
本発明は電子機器の小型化、不要輻射に対応した冷却構成に関する。
【背景技術】
【０００２】
近年、電子機器の小型軽量化と電気基板からの発熱量、不要輻射の増加が進んでいる。
【０００３】
不要輻射への対策として、発生源である電気基板の周囲を板金等で覆う構成が有用であり、更に、軽量化や基板冷却のために板金に開口をあけるのが一般的である。
【０００４】
製品が小型軽量化されると内部部品の配置も限定されるため、上記の板金に覆われた電気基板が筐体の開口部（吸気口等）近くに配置される事がある。
【０００５】
板金や電気基板が筐体の開口から見えた場合、見栄えが良くなく、製品の品位が低下する。
【０００６】
電気基板が筐体の開口近くに配置された場合、ユーザーが触れる可能性がある。
【０００７】
更に、小型化された装置内に複数の冷却対象が存在する場合、冷却ダクトをそれぞれに配置することはスペース上困難であり、上記の電気基板周辺の冷却風路も混在する傾向にある。
【０００８】
上記の通り、小型軽量化と不要輻射に対応した冷却構成の確立が求められている。
【特許文献１】特許登録第03870791号公報
【発明の開示】
【発明が解決しようとする課題】
【０００９】
上記の背景技術で述べたとおり、小型軽量化と不要輻射に対応した冷却構成の確立が求められている。
【００１０】
そこで特許文献１では小型化と不要輻射に関する特許提案がなされている。この提案では、電磁障害におけるノイズ源となりやすい光源駆動ブロックと、ノイズの影響を受けやすい電気光学装置を制御する制御ブロックと、前記電気光学装置を制御する制御ブロックとを備える投射型表示装置において、制御ブロック、電源ブロック、および光源駆動ブロックの順で投射型表示装置の厚さ方向に積層配置する事でノイズの影響を低減するという提案である。プロジェクタの小型化を図る上で障害となる為、光源駆動ブロックおよび制御ブロックの間をシールド板で仕切ることや、両者の距離を離すという対策をとらずに済むという効果が得られる。
【００１１】
しかし、これでは装置内の不要輻射の影響を低減できたとしても、装置外部への影響を低減できない。また、この構成をとることにより、装置内の配置も限定される。
【００１２】
更には、前記の技術背景で述べた、電子機器の小型軽量化と電気基板からの発熱量、不要輻射の増加が進んだ際に問題となる以下の問題を解決していない。
（１）板金や電気基板が筐体の開口から見えた場合、見栄えが良くなく、製品の品位が低下する。
（２）電気基板が筐体の開口近くに配置された場合、ユーザーが触れる可能性がある。
（３）電気基板周辺の冷却風路が混在して効果的な冷却が困難。
【００１３】
上記のように、電子機器内外への不要輻射の遮蔽と共に、小型軽量化と電気基板からの発熱量増加に起因する、上記三つを解決すべき課題とする。
【課題を解決するための手段】
【００１４】
製品の外装を構成する筐体と、駆動、制御用の電気基板と、電気基板を冷却する冷却ファンと、電気基板の周囲を覆って冷却ファンへ導風する冷却ダクトを構成し、かつ開口部を有し、かつ筐体の開口部から視認できる場所に配置される板金部材と、
を有する電子機器において、
筐体の色相を構成するマンセル表色系の基本色、赤、黄、緑、青、紫の内、同じ基本色からなる色相の遮蔽部材が板金部材に開けられた開口部を覆い、
かつ遮蔽部材が筐体の開口から視認される板金部材と電気基板の面積の少なくとも半分以上を覆うように配置する。
【００１５】
また、製品の外装を構成する筐体と、駆動、制御用の電気基板と、電気基板を冷却する冷却ファンと、電気基板の周囲を覆って冷却ファンへ導風する冷却ダクトを構成し、かつ開口部を有し、かつ筐体の開口部から視認できる場所に配置される板金部材と、
を有する電子機器において、
マンセル表色系における明度が5以下からなる遮蔽部材で板金部材に開けられた開口部を覆い、かつ筐体の開口から視認される板金部材と電気基板の面積の少なくとも半分以上を覆うように配置する。
【００１６】
更に、製品の外装を構成する筐体と、駆動、制御用の電気基板と、電気基板を冷却する冷却ファンと、電気基板の周囲を覆って冷却ファンへ導風する冷却ダクトを構成し、かつ開口部を有し、かつ筐体の開口部から視認できる場所に配置される板金部材と、
を有する電子機器において、
マンセル表色系における彩度が4以下からなる遮蔽部材で板金部材に開けられた開口部を覆い、かつ筐体の開口から視認される板金部材と電気基板の面積の少なくとも半分以上を覆うように配置する。
【００１７】
この際、遮蔽部材は導通性を有する部材からなる事が好ましい。
【００１８】
この際、遮蔽部材は電磁波吸収特性を有する部材からなる事が好ましい。
【００１９】
ここで、上記のマンセル表色系とは、アメリカの画家、美術教育者であるアルバート・マンセルによって提唱された色を数値的に表すための体系の一種で、色彩を色の3属性（色相、明度、彩度）に基づいて表現する。
【００２０】
10進数を使って色を合理的に表現しており、アメリカ光学会(OSA)が視感評価実験によって修正したものが、現在のマンセル表色系の基礎となっている。
【００２１】
マンセル表色系は日本では、JIS Z 8721（3属性による色の表示方法）として規格化されている。
【００２２】
本発明の更なる目的又はその他の特徴は、以下、添付の図面を参照して説明される好ましい実施例等によって明らかにされるであろう。
【発明の効果】
【００２３】
本発明の電子機器によれば、電気基板の周囲を覆って冷却ダクトを構成する板金に開口がある場合でも、その開口を他の部材で塞ぐために冷却風路を規定することが可能であり、板金周囲に複数の風路が混在する系においても効果的に冷却可能である。
【００２４】
また、電気基板の周囲を覆う板金に開口がある場合でも、その開口を他の部材で塞ぐため、ユーザーが電気基板に触れるといったことがない。
【００２５】
更に、筐体の開口部から視認できる箇所を筐体と同じ色、または目立たない色の部材で覆うことで製品の品位を低下させることはない。
【００２６】
最後に、板金に不要輻射が漏洩しない開口を開ける際は、不要輻射の波長に依存するが、開口を、導電性を有する部材や、電磁波を吸収する部材で覆うことで波長に依存することなく開口を開けることが可能となる。結果として製品の軽量化が期待できる。
【発明を実施するための最良の形態】
【００２７】
次に、本発明の詳細を実施例の記述に従って説明する。
【００２８】
以下に、本発明の実施の形態を添付の図面に基づいて詳細に説明する。
【００２９】
図１は、本発明の画像投射装置（投射型画像表示装置）の実施例１の構成を示した概略図である。
【００３０】
図２（Ａ）、図２（Ｂ）は図１における画像投射装置の光学構成の平面図と側面図である。
【００３１】
図１において、２４は光源ランプである。２３はランプ２４を保持するランプホルダーである。２２は防爆ガラスである。２１はガラス押さえである。３５はランプ２４からの光を入射する照明光学系である。
【００３２】
２８は照明光学系からの出射光を入射するＲＧＢの３色用の液晶表示素子５０Ｒ、５０Ｇ、５０Ｂを備えた色分解合成光学系である。３３は色分解合成光学系からの出射光を入射して図示せぬスクリーン（被投射面）に画像を投射する投射レンズである。
【００３３】
投射レンズ３３内には投射レンズ光学系を収納している。３１はランプ２４、照明光学系３５、色分解合成光学系２８を収納するとともに投射レンズ３３が固定される光学ボックスである。前記光学ボックス３１にはランプ２４の周囲を囲むランプ周辺部材としてのランプケース部が形成されている。
【００３４】
２７は光学ボックス３１内に照明光学系３５、色分解合成光学系２８を収納した状態で蓋をする光学ボックス蓋である。１７は電源ユニット（図示せず）と光源駆動手段（図示せず）を覆うための電源カバー部材である。２０は電源カバー部材１７の一部を構成し、外部電源（図示せず）のアース端子と電気的に接続する金属部材である。３０は複数の基板（後述）が内蔵される板金部材である。
【００３５】
５は装置中央部に位置し、色分解合成光学系２８内の液晶表示素子等の光学素子を吸い込み風で冷却し、吹き出し風で電源ユニット、光源駆動手段を冷却する為の冷却ファンである。６はシロッコファン５からの冷却風を任意の箇所に導くための導風ダクトである。
【００３６】
１５はランプ２４に対して吹き出し風を送り、ランプ２４を冷却すると共に、吸い込み風を用いて後述のインターフェース基板１９、基板制御基板１８、パネル制御基板５５を冷却する為のランプ冷却ファンである。１４はランプ冷却ファン１５を保持しつつ冷却風をランプに送るためのランプダクトである。１６は冷却ファン１５を押さえて１４のランプダクトと合わせてダクトを構築するためのランプダクトである。
【００３７】
１０は外装キャビネット７に設けた吸気口から空気を吸い込むことで電源ユニットと光源駆動手段内に風を流通させ、電源ユニット及び光源駆動手段を同時に冷却する為の電源用の冷却ファンである。９はランプ冷却ファン１５によるランプ２４を通過した後の熱風を排出する排気ファンである。
【００３８】
３４はランプ２４からの光が装置外部に漏れないような遮光機能を有するランプ排気ルーバーである。
【００３９】
７は光学ボックス３１等を収納する為の外装キャビネット（外装ケース下部）である。２５は外装キャビネット７に光学ボックス３１等を収納した状態で蓋をする為の外装キャビネット蓋（外装ケース上部）である。
【００４０】
１及び１２は側板である。外装キャビネット７には上記の吸気口が形成されており、側板１２には上記した排気口が形成されている。
【００４１】
１９は各種信号を取り込むコネクターが搭載されるインターフェース基板である（板金部材３０内部に配置される）。１８は射表示装置内の各ユニットに対して制御信号を処理する制御基板（板金部材３０内部に配置される）。５５は３色用の液晶表示素子５０Ｒ，５０Ｇ、５０Ｂから出ているＦＰＣが接続されるパネル制御基板（板金部材３０内部に配置される）。
【００４２】
８はランプ２４からの排気熱を排気ファン９まで導き、装置内部に排気風を放散させないためのランプ排気ボックスで、ランプ排気ルーバー３４を保持する。
【００４３】
３はランプ蓋である。ランプ蓋３は外装キャビネット７の底面に着脱自在に設けられており、図示を省略したビスにより固定されている。
【００４４】
また、４はセット調整脚で、セット調整脚４は外装キャビネット７に固定されており、その脚部の高さを調整可能となっている。脚部４の高さ調整により、装置本体の傾斜角度を調整できるように構成されている。
【００４５】
２は外装キャビネット７の吸気口外側に取り付く不図示のフィルタを押さえるＲＧＢ吸気プレートである。
【００４６】
１３は色分解合成光学系２８を保持する格納部材である。
【００４７】
５６は側板１に開けられた開口部と対向する面にある板金部材３０の開口部を塞ぎ、板金部材周辺の風の流れを規制すると共に、外部からの見栄えを改善するための遮蔽部材。
【００４８】
次に、前述した図１におけるランプ２４、照明光学系３５、色分解合成光学系２８、投射レンズ３３にて構成される画像表示素子（液晶表示素子等の画像形成素子）を搭載した画像投射装置（投射画像表示装置）の光学構成について図２（Ａ）、図２（Ｂ）にて説明する。
【００４９】
図２（Ａ）、図２（Ｂ）において、ランプ２４は連続スペクトルで白色光を発光する発光管２４ａを有する。３７は発光管２４ａからの光を所定の方向に集光するリフレクタである。発光管２４ａとリフレクタ３７によりランプ（光源手段）２４を形成する。
【００５０】
３８ａは水平方向（ランプ２４からの光の進行方向における水平方向（ｘ方向、図２（Ｂ）の紙面垂直方向））において屈折力を有するレンズアレイで構成された第１のシリンダーアレイである。
【００５１】
３８ｂは第１のシリンダーアレイ３８ａの個々のレンズに対応したレンズアレイを有する第２のシリンダーアレイである。３９は紫外線吸収フィルタである。４０は無偏光光を所定の偏光光に揃える偏光変換素子である。
【００５２】
４１は垂直方向（Ｙ方向）において屈折力を有するシリンドリカルレンズで構成されたフロントコンプレッサである。４２は光軸を８８度変換する為の全反射ミラーである。３８ｃは垂直方向（ランプ２４からの光の進行方向における垂直方向（図２（Ｂ）の紙面垂直方向））において屈折力を有するレンズアレイで構成された第３のシリンダーアレイである。
【００５３】
３８ｄは第３のシリンダーアレイ３８ｃの個々のレンズに対応したレンズアレイを有する第４のシリンダーアレイである。４５は色座標をある値に調整するために特定波長域の色をランプに戻すためのカラーフィルターである。
【００５４】
４３はコンデンサーレンズである。４４は垂直方向において屈折力を有するシリンドリカルレンズで構成されたリアコンプレッサである。以上により照明光学系３５が構成される。
【００５５】
４６は青色光（Ｂ）と赤色光（Ｒ）の波長領域の光を反射し、緑色光（Ｇ）の波長領域の光を透過するダイクロイックミラーである。４７は透明基板に偏光素子を貼着したＧ用の入射側偏光板であり、Ｐ偏光光のみを透過する。４８はＰ偏光光を透過し、Ｓ偏光光をする第１の偏光ビームスプリッターであり、偏光分離面を有する。
【００５６】
５０Ｒ、５０Ｇ、５０Ｂはそれぞれ入射した光を反射するとともに画像変調する赤用の液晶表示素子（ライトバルブ）、緑用の液晶表示素子（ライトバルブ）、青用の液晶表示素子（ライトバルブ）である。
【００５７】
４９Ｒ、４９Ｇ、４９Ｂはそれぞれ、赤用の１／４波長板、緑用の１／４波長板、青用の１／４波長板である。５１はＲの色純度を高めるためにオレンジ光をランプ２４側に戻すトリミングフィルターと透明基板に偏光素子を貼着したＲＢ用の入射側偏光板であり、Ｐ偏光のみを透過する。
【００５８】
５２はＲの光の偏光方向を９０度変換し、Ｂの光の偏光方向は変換しない色選択性位相差板である。２６はＰ偏光を透過し、Ｓ偏光をする第２の偏光ビームスプリッターであり、偏光分離面を有する。
【００５９】
５４はＢ用出射側偏光板（偏光素子）であり、ＢのＳ偏光のみを整流する。２９はＳ偏光のみを透過させるＧ用出側偏光板である。３６はＲＢ光を透過し、Ｇ光をするダイクロイックプリズムである。
【００６０】
以上のダイクロイックミラー４６からダイクロイックプリズム３６により、色分解合成光学系２８が構成される。
【００６１】
ここでＰ偏光とＳ偏光の定義を明確にすると、偏光変換素子４０では、Ｐ偏光をＳ偏光に変換するが、ここで定義するＰ偏光とＳ偏光は偏光変換素子４０を基準として述べている。
【００６２】
一方ダイクロイックミラー４６に入射する光は偏光ビームスプリッター４８、２６基準で考えるのでＰ偏光光が入射するものとする。偏光変換素子４０から射出された光はＳ偏光だが、同じＳ偏光光をダイクロイックミラー４６に入射する光をＰ偏光光として本実施例では定義するものである。
【００６３】
次に光学的な作用を説明する。
【００６４】
発光管２４ａから発した光はリフレクタ３７により所定の方向に集光される。リフレクタ３７は放物面形状を有しており、放物面の焦点位置からの光は放物面の対称軸に平行な光束となる。
【００６５】
但し、発光管２４ａからの光源は理想的な点光源ではなく有限の大きさを有しているので、集光する光束には放物面の対称軸に平行でない光の成分も多く含まれている。これらの光束は、第１のシリンダーアレイ３８ａに入射する。
【００６６】
第１のシリンダーアレイ３８ａに入射した光束はそれぞれのシリンダレンズに応じた複数の光束に分割、集光され（垂直方向に帯状の複数の光束）、紫外線吸収フィルタ３９を介して、第２のシリンダーアレイ３８ｂに入射する。第２のシリンダーアレイ３８ｂを経て、複数の光束（垂直方向に帯状の複数の光束）を偏光変換素子４０の近傍に形成する。
【００６７】
偏光変換素子４０は、偏光分離面と１／２波長板とからなり、複数の光束は、その列に対応した偏光分離面に入射し、透過するＰ偏光成分の光と反射するＳ偏光成分の光に分割される。
【００６８】
反射されたＳ偏光成分の光は反射面で反射し、Ｐ偏光成分と同じ方向に出射する。
【００６９】
一方、透過したＰ偏光成分の光は、１／２波長板を透過してＳ偏光成分と同じ偏光成分に変換され、偏光方向が揃った光として出射する。
【００７０】
偏光変換された複数の光束（垂直方向に帯状の複数の光束）は、偏光変換素子４０を出射した後、フロントコンプレッサ４１を介して、ミラー４２にて８８度反射し、第３のシリンダーアレイ３８ｃに入射する。第３のシリンダーアレイ３８ｃに入射した光束はそれぞれのシリンダレンズに応じた複数の光束に分割、集光される（水平方向に帯状の複数の光束）。そして、その後第４のシリンダーアレイ３８ｄを経て、複数の光束（水平方向に帯状の複数の光束）となり、コンデンサーレンズ４３、リアコンプレッサ４４に至る。
【００７１】
ここで、フロントコンプレッサ４１、コンデンサーレンズ４３、リアコンプレッサ４４の光学的作用の関係で、複数の光束は矩形形状の像が重なった形で矩形の均一な照明エリアが形成されることになる。
【００７２】
この照明エリアに後述の液晶表示素子５０Ｒ、５０Ｇ、５０Ｂを配置する。次に、偏光変換素子４０によりＳ偏光とされた光は、ダイクロイックミラー４６に入射する。尚、ダイクロイックミラー４６は、Ｂ（波長４３０ｎｍ〜４９５ｎｍ）とＲ（波長５９０ｎｍ〜６５０ｎｍ）の光は反射し、Ｇ（波長５０５ｎｍ〜５８０ｎｍ）の光は透過する。
【００７３】
次に、Ｇの光路について説明する。
【００７４】
ダイクロイックミラー４６を透過したＧの光は入射側偏光板４７に入射する。尚、Ｇの光はダイクロイックミラー４６によって分解された後もＰ偏光（４５の偏光変換素子基準の場合はＳ偏光）となっている。そしてＧの光は、入射側偏光板４７から出射した後、第１の偏光ビームスプリッター４８に対してＰ偏光として入射して偏光分離面で透過して、Ｇ用の液晶表示素子５０Ｇへと至る。
【００７５】
Ｇ用の液晶表示素子５０Ｇにおいては、Ｇの光が画像変調され反射される。画像変調されたＧの反射光のうちＰ偏光成分は、再び第１の偏光ビームスプリッター４８の偏光分離面で透過して光源側に戻され、投射光から除去される。
【００７６】
一方、画像変調されたＧの反射光のうちＳ偏光成分は、第１の偏光ビームスプリッター４８の偏光分離面で反射され、投射光としてダイクロイックプリズム３６に向かう。このとき、すべての偏光成分をＰ偏光に変換した状態（黒を表示した状態）において、第１の偏光ビームスプリッター４８とＧ用の液晶表示素子５０Ｇとの間に設けられた１／４波長板４９Ｇの遅相軸を所定の方向に調整している。
【００７７】
これにより、第１の偏光ビームスプリッター４８とＧ用の液晶表示素子５０Ｇで発生する偏光状態の乱れの影響を小さく抑えることができる。第１の偏光ビームスプリッター４８から出射したＧの光は、第３の偏光ビームスプリッター３６に対してＳ偏光として入射し、ダイクロイックプリズム５５のダイクロイック膜面でＧ光を反射して投射レンズ３３へと至る。
【００７８】
一方、ダイクロイックミラー４６を反射したＲとＢの光は、ダイクロイックミラー４６によって分解された後もＰ偏光となっている。
【００７９】
そしてＲとＢの光は、トリミングフィルター５１でオレンジ光をカットされた後、入射側偏光板５２から出射し、色選択性位相差板５３に入射する。色選択性位相差板５３は、Ｒの光のみ偏光方向を９０度回転する作用を持っており、これによりＲの光はＳ偏光として、Ｂの光はＰ偏光として第２の偏光ビームスプリッター２６に入射する。
【００８０】
Ｓ偏光として第２の偏光ビームスプリッター２６に入射したＲの光は、第２の偏光ビームスプリッター２６の偏光分離面で反射され、Ｒ用の液晶表示素子５０Ｒへと至る。
【００８１】
また、Ｐ偏光として第２の偏光ビームスプリッター２６に入射したＢの光は、第２の偏光ビームスプリッター２６の偏光分離面を透過してＢ用の液晶表示素子５０Ｂへと至る。
【００８２】
Ｒ用の液晶表示素子５０Ｒに入射したＲの光は画像変調され反射される。画像変調されたＲの反射光のうちＳ偏光成分は、再び第２の偏光ビームスプリッター２６の偏光分離面で反射されて光源２４側に戻され、投射光から除去される。
【００８３】
一方、画像変調されたＲの反射光のうちＰ偏光成分は第２の偏光ビームスプリッター２６の偏光分離面を透過して投射光としてダイクロイックプリズム３６に向かう。
【００８４】
また、Ｂ用の液晶表示素子５０Ｂに入射したＢの光は画像変調され反射される。画像変調されたＢの反射光のうちＰ偏光成分は、再び第２の偏光ビームスプリッター２６の偏光分離面を透過して光源２４側に戻され、投射光から除去される。
【００８５】
一方、画像変調されたＢの反射光のうちＳ偏光成分は第２の偏光ビームスプリッター２６の偏光分離面でして投射光としダイクロイックプリズム３６に向かう。
【００８６】
このとき、第２の偏光ビームスプリッター２６とＲ用、Ｂ用の液晶表示素子５０Ｒ、５０Ｂの間に設けられた１／４波長板４９Ｒ、４９Ｂの遅相軸を調整することにより、Ｇの場合と同じようにＲ、Ｂそれぞれの黒の表示調整を行うことができる。
【００８７】
こうして１つの光束に合成され、第２の偏光ビームスプリッター２６から出射したＲとＢの投射光のうちＢの光は、出射側偏光板５４で検光されてダイクロイックプリズム３６に入射する。また、Ｒの光はＰ偏光のまま偏光板をそのまま透過し、ダイクロイックプリズム３６に入射する。
【００８８】
尚、出射側偏光板５４で検光されることにより、Ｂの投射光は第２の偏光ビームスプリッター２６とＢ用の液晶表示素子５０Ｂ、１／４波長板４９Ｂを通ることによって生じた無効な成分をカットされた光となる。
【００８９】
そして、ダイクロイックプリズム３６に入射したＲとＢの投射光はダイクロイックプリズム３６のダイクロイック膜面を透過し、前述した該ダイクロイック膜面にて反射したＧの光と合成されて投射レンズ３３に至る。
【００９０】
そして、合成されたＲ、Ｇ、Ｂの投射光は、投射レンズ３３によってスクリーンなどの被投射面に拡大投影される。
【００９１】
以上説明した光路は液晶表示素子が白表示の場合である為、以下に液晶表示素子が黒表示の場合での光路を説明する。
【００９２】
まず、Ｇの光路について説明する。
【００９３】
ダイクロイックミラー４６を透過したＧの光のＰ偏光光は入射側偏光板４７に入射し、その後、第１の偏光ビームスプリッター４８に入射して偏光分離面で透過され、Ｇ用の液晶表示素子５０Ｇへと至る。
【００９４】
しかし、液晶表示素子５０Ｇが黒表示の為、Ｇの光は画像変調されないまま反射される。従って、液晶表示素子５０Ｇで反射された後もＧの光はＰ偏光光のままである為、再び第１の偏光ビームスプリッター４８の偏光分離面で透過し、入射側偏光板４７を透過して光源２４側に戻され、投射光から除去される。
【００９５】
次に、ＲとＢの光路について説明する。
【００９６】
ダイクロイックミラー４６を反射したＲとＢの光のＰ偏光光は、入射側偏光板５１に入射する。そしてＲとＢの光は、入射側偏光板５２から出射した後、色選択性位相差板５３に入射する。色選択性位相差板５３は、Ｒの光のみ偏光方向を９０度回転する作用を持っており、これによりＲの光はＳ偏光として、Ｂの光はＰ偏光として第２の偏光ビームスプリッター２６に入射する。Ｓ偏光として第２の偏光ビームスプリッター２６に入射したＲの光は、第２の偏光ビームスプリッター５７の偏光分離面で反射され、Ｒ用の液晶表示素子５０Ｒへと至る。
【００９７】
また、Ｐ偏光として第２の偏光ビームスプリッター２６に入射したＢの光は、第２の偏光ビームスプリッター２６の偏光分離面を透過してＢ用の液晶表示素子５０Ｂへと至る。
【００９８】
ここでＲ用の液晶表示素子５０Ｒは黒表示の為、Ｒ用の液晶表示素子５０Ｒに入射したＲの光は画像変調されないまま反射される。
【００９９】
従って、Ｒ用の液晶表示素子５０Ｒで反射された後もＲの光はＳ偏光光のままである為、再び第2の偏光ビームスプリッター２６の偏光分離面でし、入射側偏光板５１を通過して光源側に戻され、投射光から除去される為、黒表示となる。
【０１００】
一方、Ｂ用の液晶表示素子５０Ｂに入射したＢの光はＢ用の液晶表示素子５０Ｂが黒表示の為、画像変調されないまま反射される。
【０１０１】
従って、Ｂ用の液晶表示素子５０Ｂで反射された後もＢの光はＰ偏光光のままである。この為、再び第２の偏光ビームスプリッター２６の偏光分離面を透過し、色選択性位相差板５３により、Ｐ偏光に変換され、入射側偏光板５２を透過して光源２４側に戻されて投射光から除去される。
【０１０２】
以上が、反射型の液晶表示素子（反射型液晶パネル）を使用した画像投射装置（投射型画像表示装置）での光学構成である。
【０１０３】
尚、反射型液晶表示素子の変わりに透過型液晶表示素子を用いても基本的な構成は同じである。
【実施例１】
【０１０４】
図１、図２、図３、図４、図５において本提案を適用した本実施例を示す。
【０１０５】
図３は、図１で示した板金部材３０と光源ランプ２４周辺部の冷却風の流れを示した図である。
【０１０６】
図４は、図３で示した図に対して遮蔽部材５６がない場合の冷却風の流れを示した図である。
【０１０７】
図５は、遮蔽部材５６がない場合の側板１方向からの見た図である。
【０１０８】
図６は、遮蔽部材５６ある場合の側板１方向からの見た図である。
【０１０９】
図３、図４、図５、図６において、１は側板、９は排気ファン、１０は電源用の冷却ファン、１４、１６はランプダクト、１５はランプ冷却ファン、２４は光源ランプ、３０は板金部材、４０は変更変換素子、５６は遮蔽部材である。
【０１１０】
導電性を有する板金で構成される板金部材３０は、内部のインターフェース基板１９、制御基板１８、パネル制御基板５５の周囲を覆って不要輻射を遮蔽すると共に基板冷却用のダクトも兼ねる。上記の基板を冷却する為の冷却風の流れは矢印で示す。
【０１１１】
初めに、板金部材３０の図３、図４紙面裏側に開けられた開口部から吸気されて基板ケース内を流れ、インターフェース基板１９、制御基板１８、パネル制御基板５５を冷却する。その後、基板ケースの排気用の開口（ランプ冷却ファンの奥側）からランプ冷却ファン１５に吸気され、ランプダクト１４、１６を介して偏光変換素子４０と光源ランプ２４に冷却風を吹き付けて冷却を行う。最後に、排気ファン９により筐体外部へ排気される。
【０１１２】
また、図３における山形の矢印は、外装キャビネット７及び側板１に設けた吸気口から空気を吸い込むことで電源ユニットと光源駆動手段内に風を流通させ、電源ユニット及び光源駆動手段を同時に冷却する為の電源用の冷却ファン１０による冷却風の流れである。
【０１１３】
図４における山形の矢印は、図３での電源冷却ファン１０の冷却風の流れが、遮蔽部材５６を用いないとどのように流れるかを示したものである。
【０１１４】
本実施例では、不要輻射が筐体内外に漏洩しないように板金部材３０で周囲を覆い、軽量化のために不要輻射が漏洩しない程度の穴を開けている。板金部材は樹脂材料と比較して重いため、穴をあけて軽量化を行うのが一般的である。
【０１１５】
板金部材は基板冷却用のダクトを兼ねており、図３での矢印で示すような冷却風を流している。ランプ冷却ファン１５の吸い込み風を用いて基板を冷却しているため、ダクトを構成する板金部材に軽量化の為の穴を開けた場合、そこから吸気してしまい、任意の冷却が行えない。具体的には、意図する冷却風路でない箇所を冷却風が流れるため、基板上の最も冷却したい冷却経路に冷却風が流れない。また、板金部材に冷却風が流れ込んでしまい、電源冷却のための冷却風が流れない（図４参照）などの問題が発生する。つまり、冷却風路が混在する場合は、軽量化の穴を自由に開けられない。
【０１１６】
実施例のようにファンの吸い込み風を利用する際は、冷却風に志向性がないため特に影響が顕著である。
【０１１７】
本実施例では、板金部材３０の開口部にシート状の遮蔽部材５６を配置するため、板金で基板を覆ったユニット周囲で冷却風路が混在するような系において、軽量化の穴を自由に開けても任意の冷却を行える。
【０１１８】
また、本実施例では基板とその周囲を覆う板金部材３０が製品筐体をなす側板１の開口（吸気口）から見える箇所に配置される。
【０１１９】
この場合、一つ目の問題として、側板１の開口部から板金部材の開口部奥の基板が見え（図５参照）、ユーザーが誤って触れることや、基板に外部から物が侵入してショートするなどの面で問題がある。
【０１２０】
また、反射率の高い板金部材や基板が側板１の開口部から見えるため、製品の品位が低下するという問題がある。
【０１２１】
本提案では、板金部材の開口をシート状の遮蔽部材が塞ぐため、上記の問題が解決される（図６参照）。
【０１２２】
更に、側板１の開口部から見える部分を筐体と同色（もしくは黒のような色調）のシート状の遮蔽部材で覆うため、製品の品位を低下させることがない。
【０１２３】
板金部材に開口を開ける場合、その形状は不要輻射の波長に制約を受ける為、自由に穴径を決定することは出来ない。
【０１２４】
具体的には、不要輻射の波長が短いほど、板金にあけることのできる穴径は小さくなり、近年の不要輻射の波長が短くなる傾向と軽量化とは相反する関係にあった。
【０１２５】
しかし、シート状の遮蔽部材を、導電性を有する部材や、電磁波を吸収する特性を有する部材とした場合、見栄えの改善性を満足し、かつ板金部材に開ける軽量化の穴径を自由に決定することができるため、更なる軽量化も可能である。
【０１２６】
以上、実施例を述べたが、本発明は前述した実施例に限定されない事は言うまでもなく、その要旨の範囲内で種々の変形及び変更が可能である。
【図面の簡単な説明】
【０１２７】
【図１】本発明の冷却装置を搭載した投射画像表示装置の分解斜視略図。
【図２】本発明の冷却装置を搭載した投射画像表示装置の光学構成略図。
【図３】本発明の第１の実施例を示す配置略図。
【図４】本発明の第１の実施例を示す配置略図。
【図５】本発明の第１の実施例を示す配置略図。
【図６】本発明の第２の実施例を示す配置略図。
【符号の説明】
【０１２８】
１  側板
２  ＲＧＢ吸気プレート
３  ランプ蓋
４  セット調整脚
５  冷却ファン
６  導風形状
７  外装キャビネット
８  排気ボックス
９  排気ファン
１０  電源用冷却ファン
１１  外部電源差込部
１２  側板
１３  プリズムベース（格納部材）
１４  ランプダクト
１５  ランプ冷却ファン
１６  ランプダクト
１７  電源カバー部材
１８  制御基板（板金部材３０内部に配置される）
１９  インターフェース基板である（板金部材３０内部に配置される）
２０  金属部材
２１  ガラス押さえ
２２  防爆ガラス
２３  ランプホルダー
２４  光源ランプ
２５  外装キャビネット蓋（外装ケース）
２６  第２の偏光ビームスプリッター
２７  光学ボックス蓋
２８  色分解合成光学系
２９  G用出側偏光板
３０  板金部材（基板カバー）
３１  光学ボックス
３２  リモコンセンサー基板
３３  投射レンズ
３４  ランプ排気ルーバー
３５  照明光学系
３６  ダイクロイックプリズム
３７  リフレクタ
３８ａ  第１のシリンダーアレイ
３８ｂ  第２のシリンダーアレイ
３８ｃ  第３のシリンダーアレイ
３８ｄ  第４のシリンダーアレイ
３９  紫外線吸収フィルタ
４０  偏光変換素子
４１  フロントコンプレッサ
４２  全反射ミラー
４３  コンデンサーレンズ
４４  リアコンプレッサ
４５  カラーフィルター
４６  ダイクロイックミラー
４７  Ｇ用入射側偏光板
４８  第１の偏光ビームスプリッター
４９  １／４波長板
５０  液晶表示素子
５１  トリミングフィルター
５２  RB用入射側偏光板
５３  色選択性位相差板
５４  B用出側偏光板
５５  パネル制御基板（板金部材３０内部に配置される）
５６  遮蔽部材
【図１】
2009267105.tif 000003
【図２】
2009267105.tif 000004
【図３】
2009267105.tif 000005
【図４】
2009267105.tif 000006
【図５】
2009267105.tif 000007
【図６】
2009267105.tif 000008